(57)【要約】【課題】  ペットの安全性に優れ、且つ、ペット収納ボックスを車体に簡易に取り付けできる。【解決手段】  ペットを収納したペット収納ボックス１０を車室内で車体に取り付けるペット収納ボックス１０の車両取り付け構造であって、補強メンバー３に固着されたアンカー４に、ペット収納ボックス１０を連結部材１３を介して連結自在に構成した。【選択図】      図２
2006015836.tif 000002
【特許請求の範囲】
【請求項１】
ペットを収納したペット収納ボックスを車室内で車体に取り付けるペット収納ボックスの車両取り付け構造であって、
車体パネルに固着されたアンカーに、前記ペット収納ボックスを連結したことを特徴とするペット収納ボックスの車両取り付け構造。
【請求項２】
請求項１記載のペット収納ボックスの車両取り付け構造であって、
前記ペット収納ボックスの強度ベルトと前記アンカーとを連結部材を介して連結したことを特徴とするペット収納ボックスの車両取り付け構造。
【請求項３】
請求項１又は請求項２記載のペット収納ボックスの車両取り付け構造であって、
前記ペット収納ボックスと前記アンカーとを連結する部材は、連結自在であることを特徴とするペット収納ボックスの車両取り付け構造。
【請求項４】
請求項２又は請求項３記載のペット収納ボックスの車両取り付け構造であって、
前記強度ベルトは、前記連結部材を着脱できる着脱支持部を有することを特徴とするペット収納ボックスの車両取り付け構造。
【発明の詳細な説明】
【技術分野】
【０００１】
本発明は、ペットを収納したペット収納ボックスを車室内で車体に取り付けるペット収納ボックスの車両取り付け構造に関する。
【背景技術】
【０００２】
ペットを車両に乗せる際には、人間と同様に車両緊急時（例えば衝突時）にペットを保護することが近年要望されている。
【０００３】
このような要望の下に車載時のペットの安全性を確保するもとして、図３及び図４に示す特開２００２−１５９２３８号公報（特許文献１）に開示されたものがある。
【０００４】
図３及び図４に示すペット収納ボックスの車両取り付け構造は、シート２０のシートクッション２０ａ上に載置され、上面が開口されたペット収納ボックス２１と、このペット収納ボックス２１内に収納したペットＰをペット収納ボックス２１内に繋ぎ止めるペット連結ロープ２２と、前記ペット収納ボックス２１をシートクッション２０ａ上に固定する２本の専用固定ベルト２３，２４とを有している。２本の専用固定ベルト２３，２４は、シートバック２０ｂに掛け回した両端をペット収納ボックス２１の下部にそれぞれ連結したものと、ヘッドレスト２０ｃの支柱２０ｄに掛け回した両端をペット収納ボックス２１の上端にそれぞれ連結したものから構成されている。
【０００５】
この車両取り付け構造では、ペットＰがペット収納ボックス２１内で、且つ、ペット連結ロープ２２の規制範囲内で自由に移動できる。そして、車両緊急時（例えば衝突時）にはペット収納ボックス２１が専用固定ベルト２３，２４によって位置保持されるため、ペット収納ボックス２１自体に大きな衝撃が加わることがなく、又、ペットＰ自体もペット連結ロープ２２によって移動が阻止されるため、ペットＰがペット収納ボックス２１に衝突するに過ぎず、安全性に優れている。
【特許文献１】特開２００２−１５９２３８号公報
【発明の開示】
【発明が解決しようとする課題】
【０００６】
しかしながら、前記従来のペット収納ボックス２１の車両取り付け構造では、ペット収納ボックス２１を車両に取り付けるのに、専用固定ベルト２３，２４をシートバック２０ｂ及び支柱２０ｃに拘束しなければならず、取り付け作業が面倒である。
【０００７】
そこで、本発明は、前記した課題を解決すべくなされたものであり、ペットの安全性に優れ、且つ、取り付け作業が簡単であるペット収納ボックスの車両取り付け構造を提供することを目的とする。
【課題を解決するための手段】
【０００８】
請求項１の発明は、  ペットを収納したペット収納ボックスを車室内で車体に取り付けるペット収納ボックスの車両取り付け構造であって、車体パネルに固着されたアンカーに、前記ペット収納ボックスを連結したことを特徴とする。
【０００９】
請求項２の発明は、請求項１記載のペット収納ボックスの車両取り付け構造であって、前記ペット収納ボックスの強度ベルトと前記アンカーとを連結部材を介して連結したことを特徴とする。
【００１０】
請求項３の発明は、請求項２記載のペット収納ボックスの車両取り付け構造であって、前記ペット収納ボックスと前記アンカーとを連結する部材は、連結自在であることを特徴とする。
【００１１】
請求項４の発明は、請求項２又は請求項３記載のペット収納ボックスの車両取り付け構造であって、前記強度ベルトは、前記連結部材を着脱できる着脱支持部を有することを特徴とする。
【発明の効果】
【００１２】
請求項１の発明によれば、ペット収納ボックスをアンカーに連結すれば取り付けできるため、従来例のように専用固定ベルトをシートに拘束する作業に較べて取り付け作業が簡単である。また、例えば衝突時等の車両緊急時にはペットがペット収納ボックス内で瞬間的に移動したとしても、ペット収納ボックスがほとんど移動することなく位置保持される。従って、ペット収納ボックスがほとんど移動することがなく、この移動しないペット収納ボックスの内壁にペットが衝突するため、ペットには比較的弱い衝撃が加わるに過ぎず、安全性に優れている。特に、ペット収納ボックスを従来例のようにシートに取り付けるのではなく、補強メンバーのアンカー、つまり、車体自体に取り付けられるため、車体が変形しない限りペット収納ボックスの固定状態が保持され、この点でも安全性に優れている。
【００１３】
請求項２の発明によれば、請求項１の発明の効果に加え、連結部材をアンカーに連結するだけで取り付けできるため、取り付け作業が簡単である。
【００１４】
請求項３の発明によれば、請求項２の発明の効果に加え、ペット収納ボックスの車両への取り付けと取り外しを容易に行うことができる。
【００１５】
請求項４の発明によれば、請求項２又は請求項３の発明の効果に加え、ペット収納ボックスより連結部材を容易に着脱することができるため、ペット収納ボックスの車両への取り付けと取り外し作業が更に容易になる。又、ペット収納ボックスを携帯する際に、連結部材が取り外されるため、携帯性に優れている。
【発明を実施するための最良の形態】
【００１６】
以下、本発明の一実施形態を図面に基づいて説明する。
【００１７】
図１及び図２は本発明の一実施形態を示し、図１はペット収納ボックス１０をシート２上に取り付けた状態を斜め後方から見た斜視図、図２はペット収納ボックス１０をシート２上に取り付けた状態を示す側面図である。
【００１８】
図１及び図２に示すように、車体の車室内にはシート２が配置されている。このシート２は、車室の底面側に固定されたシートクッション２ａと、このシートクッション２ａの後端側より立設されたシートバック２ｂと、このシートバック２ｂの上端に支柱２ｃを介して支持されたヘッドレスト２ｄとを備えている。
【００１９】
また、車体の車室内で、且つ、シートクッション２ａの後部側隙間には、車体パネルである補強メンバー３が車体幅方向に配置されている。この補強メンバー３には所定間隔を置いてアンカー４が固定されている。アンカー４は、チャイルドシート等を固定するために取り付けられているものであり、コ字形の被掛止形状を有している。
【００２０】
ペット収納ボックス１０は、シート２のシートクッション２ａ上に載置されている。ペット収納ボックス１０は、収納ボックス本体１１とこの収納ボックス本体１１の外周面を被うように取り付けられた強度ベルト１２とから構成されている。
【００２１】
収納ボックス本体１１は、形状がほぼ直方体状で、通気性が良く、且つ、衝撃吸収性能の高い材質、例えば細かい網目のポリエステルメッシュで形成された袋体１１ａと、この袋体１１ａに装着され、袋体１１ａを閉空間であるボックス状の形態に保持するワイヤーフレーム１１ｂとを有する。袋体１１ａの一方の側面には開口部１１ｃが形成され、この開口部１１ｃが蓋体１４によってファスナー開閉できるようになっている。この開口部１１ｃよりペット（図示せず）を収納したり、取り出したりする。袋体１１ａの底面には防水布地１５が敷かれている。ワイヤーフレーム１１ｂは、所定方向の外力を作用することによって折り畳み位置に変移可能に構成され、ペット収納ボックス本体１１の内側は突起構造を持たない構造となっている。
【００２２】
強度ベルト１２は、収納ボックス本体１１の外周面を被うように左右一対取り付けられている。強度ベルト１２は、例えば糸や接着剤によって袋体１１ａの適所に強固に固定されている。
【００２３】
一対の強度ベルト１２には連結部材１３の一端側がそれぞれ固定されている。連結部材１３の一端側にはベルト用フック部１３ａが設けられており、このベルト用フック部１３によって強度ベルト１２に固定されている。
【００２４】
各連結部材１３の他端側にはアンカー用フック部１３ｂが設けられている。この各アンカー用フック部１３ｂを各アンカー４に掛止することによって連結部材１３をアンカー４に取り付けでき、各アンカー用フック部１３ｂを各アンカー４より掛止解除するすることによって連結部材１３をアンカー４より取り外しできる。つまり、ペット収納ボックス１０は、一対の連結部材１３を介して車体側のアンカー４に連結自在に構成されている。
【００２５】
次に、ペット収納ボックス１０を車室内で車体１に取り付ける取り付け作業を説明する。最初に、ペット収納ボックス１０を車体のシートバック２ｂにほぼ密着させた状態でシートクッション２ａ上に載置する。次に、左右一対の連結部材１３のアンカー用フック部１３ｂ、１３ｂを各アンカー４に引っ掛ければ、完了する。このように、ペット収納ボックス１０をアンカー４に連結部材１３によって連結すれば取り付け作業が完了するため、従来例のような専用固定ベルトをシートに拘束するような面倒な取り付け作業が必要なく簡易に取り付けできる。
【００２６】
また、ペット収納ボックス１０が車体に取り付けされた状態にあって、例えば衝突時等の車両緊急時が発生したとする。すると、ペットがペット収納ボックス１０内で瞬間的に移動したとしても、ペット収納ボックス１０がほとんど移動することなく位置保持される。従って、ペット収納ボックス１０がほとんど移動することがなく、この移動しないペット収納ボックス１０の内壁にペットが衝突するため、ペットには比較的弱い衝撃が加わるに過ぎず、安全性に優れている。特に、ペット収納ボックス１０を従来例のようにシート２に取り付けるのではなく、補強メンバー３のアンカー４、つまり、車体自体に取り付けられるため、車体が変形しない限りペット収納ボックス１０の固定状態が保持され、この点でも安全性に優れている。
【００２７】
この実施形態では、連結部材１３は連結自在に設けられているので、ペット収納ボックス１０の車体への取り付けと取り外しを容易に行うことができる。
【００２８】
この実施形態では、ペット収納ボックス１０とアンカー４とをフック形状の連結部材１３を介して連結したが、ペット収納ボックス１０とアンカー４間を連結できる構造のものであれば連結部材の構造を問わない。
【００２９】
また、他の実施形態として、強度ベルト１２は連結部材１３を着脱できるバックル（図示せず）等の着脱支持部を有するよう構成しても良い。このようにすれば、前記実施形態と同様に、ペット収納ボックス１０より連結部材１３を容易に着脱することができるため、ペット収納ボックス１０の車両への取り付けと取り外し作業が更に容易になる。又、ペット収納ボックス１０を携帯する際に、連結部材１３が取り外されるため、携帯性に優れている。
【図面の簡単な説明】
【００３０】
【図１】本発明の一実施形態を示し、ペット収納ボックスをシート上に取り付けた状態を斜め後方から見た斜視図である。
【図２】本発明の一実施形態を示し、ペット収納ボックスをシート上に取り付けた状態を示す側面図である。
【図３】従来例を示し、ペット収納ボックスをシート上に取り付けた状態を斜め前方から見た斜視図である。
【図４】従来例を示し、ペット収納ボックスをシート上に取り付けた状態を示す側面図である。
【符号の説明】
【００３１】
３  補強メンバー（車体パネル）
４  アンカー
１０  ペット収納ボックス
１２  強度ベルト
１３  連結部材
【図１】
2006015836.tif 000003
【図２】
2006015836.tif 000004
【図３】
2006015836.tif 000005
【図４】
2006015836.tif 000006